【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
タイヤ用のビードへの適用に先立ち、エイペックスフィラーストリップを延伸するための延伸装置において、断面における前記エイペックスフィラーストリップは、ベース部と、先端と、前記ベース部から前記先端に延在するテーパ部と、更に前記テーパ部によって画定される２個の側部とを具備し、前記延伸装置は、回転軸の回りに回転自在である延伸ローラと、前記延伸ローラの円周の一部の周囲のループ内において前記エイペックスフィラーストリップを案内するための複数のガイドとを含み、前記延伸ローラは、前記エイペックスフィラーストリップをその２個の側部の一方が前記延伸ローラの前記回転軸に対してある支持角度の下で、且つその先端が前記先端を延伸するための前記延伸ローラの前記回転軸に対して前記ベース部の半径方向外側で、延伸配置において前記一方の側部で前記ループ内において支持するために、配置されている円周プロファイルを具備し、前記複数のガイドは、前記延伸ローラに向けて、入場配置において前記エイペックスフィラーストリップを受けるために、及び前記延伸ローラから離隔した退出配置において、前記エイペックスフィラーストリップを排出するために、配置されており、前記複数のガイドは、前記エイペックスフィラーストリップが、少なくとも４５度の捩じり角度に渡る前記入場配置から前記延伸配置への遷移において、そして前記延伸配置から前記退出配置への遷移において捩じられるように、前記延伸ローラの前記回転軸に対して、前記支持角度と異なる角度の下で、前記入場配置および前記退出配置における前記エイペックスフィラーストリップの一方の側を案内するために、配置されている延伸装置。
【請求項２】
前記支持角度は、少なくとも５０度、少なくとも６０度、または少なくとも７０度である請求項１に記載の延伸装置。
【請求項３】
前記エイペックスフィラーストリップは、少なくとも５５度、または少なくとも６５度の捩じり角度に渡る、双方の遷移において捩じられるように配置されている請求項１に記載の延伸装置。
【請求項４】
前記延伸装置は、前記エイペックスフィラーストリップを入場方向に受けると共に、前記エイペックスフィラーストリップを退出方向に排出するために配置されており、前記入場方向および前記退出方向は、前記延伸ローラの半径方向に同じ側であり、延伸ローラは、前記入場方向と前記退出方向との間のその円周の周囲のループ内で前記エイペックスフィラーストリップを受けるために配置されている請求項１から３の何れか一つに記載の延伸装置。
【請求項５】
前記延伸ローラは、その円周の１８０から２７０度の範囲内で前記円周プロファイルの角度部分に渡って前記円周プロファイル上の前記エイペックスフィラーストリップの前記一方の側部を支持するために配置されている請求項４に記載の延伸装置。
【請求項６】
前記複数のガイドは、前記エイペックスフィラーストリップの入場を前記入場配置における前記延伸装置内へ案内するための入場ガイドを含んでいる請求項１から５の何れか一つに記載の延伸装置。
【請求項７】
前記入場ガイドは、前記延伸ローラの前記回転軸に平行に延在する回転軸を備えた入場ローラを含んでいる請求項６に記載の延伸装置。
【請求項８】
前記複数のガイドは、前記入場配置と前記退出配置との間の前記遷移において前記エイペックスフィラーストリップの前記捩じれを案内するための第１のツイストガイドを含んでいる請求項１から７の何れか一つに記載の延伸装置。
【請求項９】
前記複数のガイドは、前記エイペックスフィラーストリップの入場を前記入場配置における前記延伸装置内へ案内するための入場ガイドを含み、前記第１のツイストガイドは、前記入場ガイドと前記延伸ローラとの間に配置されている請求項８に記載の延伸装置。
【請求項１０】
前記第１のツイストガイドは、前記延伸ローラの前記回転軸に略横方向に又は垂直に延在する回転軸を備えた第１のツイストローラを含む請求項８又は９に記載の延伸装置。
【請求項１１】
前記複数のガイドは、前記退出配置において、前記延伸装置から前記エイペックスフィラーストリップの退出を案内するための退出ガイドを含んでいる請求項１から１０の何れか一つに記載の延伸装置。
【請求項１２】
前記退出ガイドは、前記延伸ローラの回転軸に略平行に延在する回転軸を備えた退出ローラを含む請求項１１に記載の延伸装置。
【請求項１３】
前記複数のガイドは、前記延伸配置と前記退出配置との間前記遷移における前記エイペックスフィラーストリップの前記捩じりを案内するための第２のツイストガイドを含む請求項１から１２の何れか一つに記載の延伸装置。
【請求項１４】
前記退出ガイドは、前記延伸ローラの回転軸に略平行に延在する回転軸を備えた退出ローラを含み、前記第２のツイストガイドは、前記退出ガイドと前記延伸ローラとの間に配置されている請求項１３に記載の延伸装置。
【請求項１５】
前記第２のツイストガイドは、前記延伸ローラの前記回転軸に横方向に又は垂直に延在する回転軸を備えた第２のツイストローラを含む請求項１３に記載の延伸装置。
【請求項１６】
前記複数のガイドは、前記入場配置と前記退出配置との間の前記遷移において、前記エイペックスフィラーストリップの前記捩じりを案内するための前記第１ツイストガイドを含み、前記第１ツイストガイドは、前記延伸ローラの前記回転軸に略横方向に又は垂直に延在する回転軸を備えた第１のツイストローラを含み、前記第１のツイストガイド及び前記第２のツイストガイドの前記回転軸は、平行又は同一直線上にある請求項１５に記載の延伸装置。
【請求項１７】
前記複数のガイドは、ベース部を前記延伸ローラの前記円周プロファイル内へ案内するベース部ガイドを含んでいる請求項１から１８の何れか一つに記載の延伸装置。
【請求項１８】
前記ベース部ガイドは、前記延伸ローラの前記回転軸に横方向に又は垂直に延在する回転軸を備えたベース部ローラを含む請求項１７に記載の延伸装置。
【請求項１９】
前記円周プロファイルは、その一方の側において、前記テーパ部を支持するために配置されたテーパ部分支持部を含んでいる請求項１から１８の何れか一つに記載の延伸装置。
【請求項２０】
前記円周プロファイルは、前記延伸ローラの前記回転軸に対して、固定の軸方向位置における、前記エイペックスフィラーストリップの前記ベース部を支持するために配置されたベース部分支持部を含んでいる先行する請求項１から１９の何れか一つに記載の延伸装置。
【請求項２１】
前記円周プロファイルは、前記テーパ部から離隔して面するその前記側部において、前記ベース部の前記軸方向の位置を固定するためのリムを含んでいる請求項２０に記載の延伸装置。
【請求項２２】
前記延伸ローラは、前記延伸ローラの前記回転軸に沿って、連続的な軸方向位置において、同心的に実装されるように配置されている、異なった直径を備えた複数のディスクを含み、各ディスクは、その各軸方向位置において、前記延伸ローラの前記円周プロファイルの一部を形成し、各ディスクは、前記複数のディスクによって形成される前記円周プロファイルを変化させるべく、異なった直径を有するその他のディスクと交換可能である請求項１から２１の何れか一つに記載の延伸装置。
【請求項２３】
前記延伸装置は、少なくともその前記円周プロファイルにおいて、前記延伸ローラを加熱するためのヒータを更に具備しており、前記複数のディスクの少なくとも幾つかは、前記ヒータに操作的に結合され、さらにそれによって加熱される請求項１から２２の何れか一つに記載の延伸装置。
【請求項２４】
前記延伸装置は、好ましくは前記エイペックスフィラーストリップの先端において又はその近傍で、前記延伸ローラの前記円周プロファイルに抗して前記エイペックスフィラーストリップを押圧するための押圧ローラを更に具備している請求項１から２３の何れか一つに記載の延伸装置。
【請求項２５】
前記延伸装置は、前記円周プロファイル上で前記エイペックスフィラーストリップを押さえるための、前記円周プロファイルに対向して配置されている、第１の押さえローラ及び第２の押さえローラを備えた付加的な延伸アセンブリを更に具備しており、前記付加的な延伸アセンブリは、前記押さえローラの間に更なる延伸ローラを含んでおり、前記更なる延伸ローラは、その円周の周囲のループ内で前記押さえローラ間で前記エイペックスフィラーストリップの前記一部を受けるために、配置されており、前記更なる延伸ローラはエイペックスフィラーストリップの前記先端を更に延伸すべく配置されている請求項１から２３の何れか一つに記載の延伸装置。
【請求項２６】
前記更なる延伸ローラは、その回転軸が、前記円周プロファイルの前記支持角度に対向している角度に設定可能である請求項２５に記載の延伸装置。
【請求項２７】
前記延伸装置は、前記エイペックスフィラーストリップを入場方向に受けると共に、前記エイペックスフィラーストリップを退出方向に排出するために配置されており、前記入場方向および前記退出方向は、前記延伸ローラの半径方向に同じ側であり、前記延伸ローラは、前記入場方向と前記退出方向との間のその円周の周囲のループ内で前記エイペックスフィラーストリップを受けるために配置されており、前記延伸アセンブリは、前記退出方向における前記円周プロファイルを残すべく、前記エイペックスフィラーストリップが配置されている位置において又はその近傍で前記延伸ローラの側に配置されている請求項２５又は２６に記載の延伸装置。
【請求項２８】
請求項１に記載の延伸装置を含むエイペックスハンドリングシステムにおいて、複数の各回転軸の回りに回転自在な複数の上部ローラ及び下部ローラを備えたフェステューナを更に含んでおり、ここで前記フェステューナは、前記エイペックスフィラーストリップを前記退出配置における前記延伸装置内へ排出するために、配置されているエイペックスハンドリングシステム。
【請求項２９】
前記複数の上部ローラ及び下部ローラは、各々前記延伸ローラの前記回転軸に平行であり、前記延伸装置は、前記フェステューナの連続を形成すべく、前記フェステューナと一列に配置されており、前記フェステューナは、前記延伸装置の上流で下部ローラで終端し、前記延伸ローラは、前記フェステューナの前記直接上流の下部ローラと相互作用する更なる上部ローラとして作用する請求項２８に記載のエイペックスハンドリングシステム。
【請求項３０】
前記エイペックスハンドリングシステムは、前記エイペックスフィラーストリップを前記ビードに適用するためにエイペックスアプリケータを更に含んでおり、前記エイペックスアプリケータは、前記退出配置において前記延伸装置から、前記エイペックスフィラーストリップを受けるためのコンベヤーを含んでいる請求項２８または２９に記載のエイペックスハンドリングシステム。